(57)【要約】  【課題】  収容物の取り扱いをより快適に行うことができる使用性に優れた収容具を提供する。  【解決手段】  樹脂成形容器の内部に、収容物３と、この収容物３を取り扱うために用いられる取扱用部材４とが収容される収容具１であって、前記樹脂成形容器２が、その下端部を含む本体５と、上端部を含む把手体６とに分離可能であり、また、前記取扱用部材４が、前記収容物３を授受する授受部１１と、この授受部１１が一端に設けられた棒状部１２とを備え、前記棒状部１２の他端が前記樹脂成形容器２の把手体６に固定されている。  【選択図】  図１
2006102478.tif 000002
【特許請求の範囲】
【請求項１】
樹脂成形容器の内部に、収容物と、この収容物を取り扱うために用いられる取扱用部材とが収容される収容具であって、前記樹脂成形容器が、その下端部を含む本体と、上端部を含む把手体とに分離可能であり、また、前記取扱用部材が、前記収容物を授受する授受部と、この授受部が一端に設けられた棒状部とを備え、前記棒状部の他端が前記樹脂成形容器の把手体に固定されていることを特徴とする収容具。
【請求項２】
樹脂成形容器の内部に、収容物と、この収容物を取り扱うために用いられる取扱用部材とが収容される収容具であって、前記樹脂成形容器が、その下端部を含む本体と、上端部を含む把手体とに分離可能であり、また、前記樹脂成形容器の上端部に可撓性の材料により袋状の閉空間が形成されていると共に前記取扱用部材が管状であり、取扱用部材はその上端が前記閉空間に連通するように把手体に固定されていることを特徴とする収容具。
【請求項３】
前記樹脂成形容器が筒状の側壁を備え、この側壁を一周する環状薄肉部が上下方向に適宜の間隔をあけて二つ設けられており、前記側壁の二つの環状薄肉部に挟まれた帯状部位に連設された摘まみ部を引っ張ると、前記帯状部位が側壁から離脱し、樹脂成形容器の把手体が本体から分離するように構成されている請求項１または２に記載の収容具。
【請求項４】
前記取扱用部材が、帯状部位を樹脂成形容器の側壁から離脱させるときに帯状部位および／またはその近傍に緊張力を付与する鍔部を備えている請求項３に記載の収容具。
【請求項５】
前記取扱用部材の鍔部が、帯状部位を樹脂成形容器の側壁から離脱させた後に、樹脂成形容器の本体の開口に対して挿抜自在となり、かつ、前記開口に挿入されるとこの開口を閉塞するように構成されている請求項４に記載の収容具。
【請求項６】
前記樹脂成形容器が一つずつ切り離すことができるように複数連結されている請求項１〜５のいずれかに記載の収容具。
【発明の詳細な説明】
【技術分野】
【０００１】
本発明は、例えば、消毒液とこの消毒液を患部等に塗布するための綿棒等の取扱用部材とを備えた患部消毒具や洗浄具として用いることができ、その他、化粧品を収容した容器、種々の検査用のサンプル採取容器としても用いることができる収容具に関する。
【背景技術】
【０００２】
患部の消毒方法として、綿棒に消毒液を含ませてこれを患部に塗布することが行われている。そして、従来の収容具として、前記綿棒を収容する第一収容部と、消毒液を収容する第二収容部とを隔離して備えた袋状の患部消毒具がある。この患部消毒具は、第二収容部に圧が加えられると第一収容部と第二収容部とが連通し、第二収容部内の消毒液を第一収容部内に送り前記綿棒の綿部に含ませることで綿棒を用いた消毒作業が可能となるように構成されている。
【発明の開示】
【発明が解決しようとする課題】
【０００３】
しかし、上記従来の患部消毒具では、消毒液を第二収容部から第一収容部へと送ったときに、綿棒の棒状部分が消毒液で濡れてしまい、綿棒を取り扱うときにその作業者の手に消毒液が付着し、これが作業者に不快感を与えたり消毒作業の効率を低下させてしまうおそれがあった。
【０００４】
そして、前記患部消毒具として用いられる収容具の他、化粧品を収容した容器、サンプル採取容器として用いられる収容具でも、化粧品やサンプル等の収容物を扱うときにその者の手に収容物が付着したりするおそれがあった。
【０００５】
本発明は上述の事柄に留意してなされたもので、その目的は、収容物の取り扱いをより快適に行うことができる使用性に優れた収容具を提供することである。
【課題を解決するための手段】
【０００６】
上記目的を達成するために、本発明の塗布具の一つは、樹脂成形容器の内部に、収容物と、この収容物を取り扱うために用いられる取扱用部材とが収容される収容具であって、前記樹脂成形容器が、その下端部を含む本体と、上端部を含む把手体とに分離可能であり、また、前記取扱用部材が、前記収容物を授受する授受部と、この授受部が一端に設けられた棒状部とを備え、前記棒状部の他端が前記樹脂成形容器の把手体に固定されていることを特徴としている（請求項１）。
【０００７】
また、本発明の塗布具のもう一つは、樹脂成形容器の内部に、収容物と、この収容物を取り扱うために用いられる取扱用部材とが収容される収容具であって、前記樹脂成形容器が、その下端部を含む本体と、上端部を含む把手体とに分離可能であり、また、前記樹脂成形容器の上端部に可撓性の材料により袋状の閉空間が形成されていると共に前記取扱用部材が管状であり、取扱用部材はその上端が前記閉空間に連通するように把手体に固定されていることを特徴としている（請求項２）。
【０００８】
上記いずれの発明においても、前記樹脂成形容器が筒状の側壁を備え、この側壁を一周する環状薄肉部が上下方向に適宜の間隔をあけて二つ設けられており、前記側壁の二つの環状薄肉部に挟まれた帯状部位に連設された摘まみ部を引っ張ると、前記帯状部位が側壁から離脱し、樹脂成形容器の把手体が本体から分離するように構成されていてもよい（請求項３）。
【０００９】
また、前記取扱用部材が、帯状部位を樹脂成形容器の側壁から離脱させるときに帯状部位および／またはその近傍に緊張力を付与する鍔部を備えていてもよい（請求項４）。
【００１０】
さらに、前記取扱用部材の鍔部が、帯状部位を樹脂成形容器の側壁から離脱させた後に、樹脂成形容器の本体の開口に対して挿抜自在となり、かつ、前記開口に挿入されるとこの開口を閉塞するように構成されていてもよい（請求項５）。
【００１１】
また、前記樹脂成形容器が一つずつ切り離すことができるように複数連結されていてもよい（請求項６）。
【発明の効果】
【００１２】
請求項１に係る発明では、収容物の取り扱いをより快適に行うことができる使用性に優れた収容具が得られる。すなわち、前記収容具では、収容物が付着する取扱用部材を手で持つ必要がなく、収容物が付着していない把手体の外面を持つことで収容物を保持した取扱用部材を扱うことができる。従って、塗布作業等を行う者の手に収容物が付着して、これが作業者に不快感を与えたり塗布作業等の効率を低下させてしまうことや手に付着した雑菌による二次汚染を確実に防止することができる。
【００１３】
さらに、取扱用部材の保持部に保持された収容物を塗布作業等により使い切った場合には、取扱用部材を本体内に挿入して本体内にある収容物を授受部に新たに保持させれば、さらに塗布作業等を続行することができる。従って、樹脂成形容器に収容する収容物の量は、授受部に一度に保持させることができる収容物の量の上限等によって制限されることがなく、収容物の用途や種類等を考慮して設定することができる。
【００１４】
請求項２に係る発明では、取扱用部材と把手体とで構成されるスポイトによって収容物を取り扱うことができ、その使用性がより向上する。
【００１５】
請求項３に係る発明では、摘まみ部を引っ張るだけで本体と把手体とをワンタッチ方式で容易に分離させることができ、使用性の面で向上を図ることができる。
【００１６】
請求項４に係る発明では、帯状部位の離脱をより容易に行うことができる。
【００１７】
請求項５に係る発明では、樹脂成形容器の本体のリキャップが可能となり、収容物の使用と保管とを繰り返し行うことができ、より長期間の収容物の使用も可能となる。そして、特に前記収容物が化粧品である場合には、化粧品の使用実感を何回か試すことができる道具として本発明の収容具を用いることができ、この場合、消費者は収容物（化粧品）に対するアレルギー反応の有無等を簡便に知ることもできる。
【００１８】
また、請求項５に係る本発明の収容具を化粧試供品として用いれば、化粧試供品の長期間の使用が可能であるので、これを消費者に提供すれば、消費者は時間をかけて化粧試供品（例えば口紅）についての服装とのコーディネートを充分に試すことができる。さらにこの場合、以下のようなメリットも挙げられる。すなわち、従来より、化粧品売り場では、化粧品テスターを用い、複数の消費者に塗布することがなされており、不衛生であるうえ、化粧試供品を塗布する場所が目の近傍や唇であるケースも多く、感染の危険性が大きいという問題があり、消費者から敬遠されていた。しかし、本発明の収容具を化粧試供品に用いれば、一人の消費者に化粧試供品を一つずつ配ることができるので、化粧試供品の衛生的な使用が可能となり、上記問題が起こらない。しかも、上述した化粧試供品についての服装とのコーディネートの充分な吟味と衛生的な使用とを実現可能としたことによって、消費者の化粧品についての購買意欲の増進を図ることも可能となる。
【００１９】
請求項６に係る発明では、特に複数の収容具の運搬や保管等を行う際に、収容具が取り扱い易いものとなる。
【発明を実施するための最良の形態】
【００２０】
図１〜図４は、本発明の第１の実施の形態を示す。図１（Ａ）および（Ｂ）に示すように、本発明の第１の実施の形態に係る収容具１は、樹脂成形容器２を有し、この樹脂成形容器２の内部に収容物３および取扱用部材４が密閉状態で収容されている。
【００２１】
前記樹脂成形容器２は、例えば、ポリエチレンやポリプロピレン、塩化ビニール等の半透明または透明な合成樹脂からなり、ブロー成形やインジェクション成形によって成形される。そして、樹脂成形容器２は、閉塞された下端部を含む本体５と、閉塞された上端部を含む把手体６とに分離可能となっている。詳しくは、図１（Ａ）に示すように、樹脂成形容器２は、ほぼ円筒状の側壁７を備え、側壁７を一周する環状薄肉部８が上下方向に適宜の間隔をあけて二つ設けられており、前記側壁７の二つの環状薄肉部８に挟まれた帯状部位９に連設された摘まみ部１０を引っ張ると、図１（Ｂ）に示すように、二つの環状薄肉部８に挟まれた帯状部位９が側壁７から離脱し、樹脂成形容器２の把手体６が本体５から分離するように構成されている。
【００２２】
また、図２に示すように、前記樹脂成形容器２は一つずつ切り離すことができるように複数（例えば、３〜１０、この実施の形態では五つ）連結されている。
【００２３】
前記収容物３としては塗布材料が挙げられ、具体的には、ポピドンヨード、ヨードチンキ、エタノール（医薬品、医薬部外品）等の消毒液、痛み止め用液、化粧用液などの液体や、ゲル状体、クリーム状体などが挙げられる。なお、この実施の形態では収容物３としてポピドンヨードが用いられている。ここで、前記樹脂成形容器２内には、収容物３および取扱用部材４とともに気体が封入されるが、収容物３が空気によって劣化する場合（例えば収容物３が空気により劣化するヨード類等である場合）には、前記気体として不活性ガス（例えばＮ2 ガス、Ａｒガス、Ｎｅガス等）を用いることが望ましい。しかし、前記収容物３が空気によって劣化しない場合（例えば収容物３が空気によって劣化しないエタノール等である場合）には、前記気体として空気を用いることができる。
【００２４】
前記取扱用部材４は、図１（Ａ）に示すように、前記収容物３を授受するための授受部１１と、この授受部１１が一端（下端）に設けられた例えばポリプロピレンからなる棒状部１２とを備え、前記棒状部１２の他端（上端）が前記樹脂成形容器２の把手体６に固定されている。前記授受部１１は、例えば、前記棒状部１２の一端に綿（脱脂綿等）を巻いて形成されたものであり、収容物（ポピドンヨード）３を吸収して保持する。そして、図１（Ａ）に示すように、取扱用部材４は、一端（下端）が把手体６の下端よりも下方に突出し、本体５内の下部にまで進入した状態となるように構成されている。なお、取扱用部材４としては、例えば、５〜８ｃｍ程度の長さを有する普通サイズのものの他、１５ｃｍ程度の長さを有するビッグサイズのものでもよい。
【００２５】
さらに、前記取扱用部材４の棒状部１２は、帯状部位９を樹脂成形容器２の側壁７から離脱させるときに帯状部位９および／またはその近傍に緊張力を付与するほぼ円筒状または円柱状の鍔部１２ａを備えている。詳述すると、前記鍔部１２ａは、樹脂成形容器２の側壁７の内径とほぼ同程度の外径を有し、本体５と把手体６とを分離していない状態では帯状部位９の内側に位置するように構成されている。なお、この実施の形態では、前記鍔部１２ａを棒状部１２と一体としているが、両者を別体としてもよい。
【００２６】
次に、上記の構成からなる収容具１の製造方法について説明する。まず、図３に示すように、一端側に開口部２ａを有する状態の複数の樹脂成形容器２をそれぞれ切り離し可能に複数（五つ）連結した状態で成形する。なお、前記開口部２ａは、樹脂成形容器２の下端部に形成されている。
【００２７】
続いて、開口部２ａから樹脂成形容器２の内部に取扱用部材４を挿入し、取扱用部材４の棒状部１２の他端を樹脂成形容器２の上端部に固定する。この固定は、例えば、樹脂成形容器２の上端部の内径を棒状部１２の他端の外径よりも若干小さめに形成し、樹脂成形容器２の上端部内に棒状部１２の他端を強引に嵌め込むことによって行ってもよく、熱融着や超音波を用いて両者２，１２を融着させることにより行ってもよい。なお、いずれの場合にも、前記棒状部１２の固定を行いやすくするために、樹脂成形容器２の上端部の内径および外径を他の部分よりも小さくすることが好ましい。
【００２８】
その後、開口部２ａが上側となるように樹脂成形容器２を配置し、その内部に収容物３を注入する。そして、前記開口部２ａを熱融着や超音波を用いることにより閉じ、このとき、樹脂成形容器２内の空気を不活性ガスに置換して封入する。以上で、収容具１の製造が完了する。なお、最後に行った空気を不活性ガスに置換する工程は、前記収容物３が空気によって劣化しない場合には不要である。また、図３には、開口部２ａの径が他の部分とほぼ同一であるように示しているが、開口部２ａは先端部側ほど細くなるように形成することが望ましい。このように形成することにより、隣り合う開口部２ａ間に十分なスペースが確保されるので、開口部２ａを閉じるときに開口部２ａの近傍部分が引き延ばされても隣り合う開口部２ａどうしが互いに干渉し合ったり結合したりすることがなく、使用者による各樹脂成形容器２の切り離し作業が妨げられることも確実に防止される。
【００２９】
上記の構成からなる収容具１を使用するには、まず、図２に示すように、複数連結された状態の収容具１の一つを取り外し、把手体６が上側になるように樹脂成形容器２を持つ。このとき、図４（Ａ）に示すように、取扱用部材４の授受部１１が収容物３に接触した状態となるように収容物３の量や取扱用部材４の棒状部１２の長さなどを設定しておくことが望ましい。
【００３０】
続いて、前記摘まみ部１０を引っ張り二つの環状薄肉部８を破断させることにより、側壁７の二つの環状薄肉部８に挟まれた帯状部位９を側壁７から離脱させ、前記把手体６を本体５から分離させる。このとき、前記鍔部１２ａが帯状部位９および／またはその近傍の裏側に当接し、緊張力を付与するので、上記帯状部位９の離脱を容易に行うことができる。なお、収容物３が分離後の本体５内に収まるようにその量を設定しておく必要がある。
【００３１】
そして、把手体６を持ち、この把手体６に固定された取扱用部材４を本体５内から引き抜くことにより、収容物３の塗布作業を行うことができる。このとき、収容物３が付着している取扱用部材４を直接持つのではなく、図１（Ｂ）に示すように、収容物３が付着していない把手体６を持って取扱用部材４を取り扱うことができる。
【００３２】
ここで、取扱用部材４の授受部１１に保持された（吸収された）収容物３が多すぎる場合、そのまま本体５から取扱用部材４を引き抜くと、授受部１１から収容物３が雫となって落下し、樹脂成形容器２の周囲等が汚れるおそれがある。しかし、図４（Ｂ）に示すように、本体５を構成する側壁７を授受部１１とともに指等で挟み授受部１１を絞れば、授受部１１に保持された余剰の収容物３を樹脂成形容器２の外で調整することなく本体５内に戻すことができ、上記のように樹脂成形容器２の周囲等が汚れることを確実に防止することができる。
【００３３】
なお、第１の実施の形態は、種々に変形することができる。具体的には、前記樹脂成形容器２の成形は、主にインジェクション成形により行われるが、樹脂成形容器２の形状を適宜に変更してブロー成形など他の成形方法により成形するように構成してもよい。
【００３４】
また、前記取扱用部材４の授受部１１は、綿を棒状部１２の一端に巻いて形成されるものに限られず、例えば、スポンジ、発泡樹脂等の吸湿性に優れた材料を棒状部１２の一端に固定することで形成されていてもよい。さらに、前記収容物３が液体ではなくクリーム状やゲル状をしている場合には、棒状部１２の一端をへら状にしたり適宜に折り曲げたりすることにより授受部１１を形成してもよい。
【００３５】
さらに、上記樹脂成形容器２では、側壁７に、二つの環状薄肉部８と、側壁７の二つの環状薄肉部８に挟まれた帯状部位９に連設された摘まみ部１０とを設けることにより、本体５と把手体６とを分離させる構造（オープンシール構造）を構成していたが、このような構成に限られない。例えば、側壁７に環状薄肉部８を一つのみ形成し、本体５と把手体６とを捩じって引きちぎり、分離させるようにしてもよい。
【００３６】
また、把手体６が上側になった状態の樹脂成形容器２内において、取扱用部材４の授受部１１が収容物３に接触していなくてもよく、この場合、樹脂成形容器２における前記帯状部位９の上下方向の幅を大きくすることにより、帯状部位９を側壁７から離脱させた後に取扱用部材４の授受部１１を本体５内に収容された収容物３に接触させることができるように構成すればよい。すなわち、前記帯状部位９の上下方向の幅の大きくするに伴い、把手体６の分離後における本体５内への取扱用部材４の挿入可能な深さが大きくなり、授受部１１が本体５の底に当接するまで取扱用部材４を本体５内に挿入することができるように前記帯状部位９の幅を決定しておくことが望ましく、このように決定すれば、取扱用部材４による収容物３の保持作業を容易に行うことができる。
【００３７】
また、棒状部１２の他端を樹脂成形容器２の上端部のみによって固定してもよいが、例えば、図１（Ｃ）に示すように、把手体６内の下部から上部にまで、嵌め込まれた棒状部１２を保持する筒状（円筒状）の保持部６ａを形成し、棒状部１２をより強力に把手体６に保持させるように構成してもよい。図１（Ｃ）において、６ｂは把手体６の側壁から前記保持部６ａにかけて設けられた四つのブリッジ部６ｂである。
【００３８】
上述したものに限られず、本発明に係る収容具１は種々に変形して実施することができる。そこで、以下に、その具体的な変形例を示すための実施の形態について図５以降を参照しながら説明する。なお、各実施の形態において、他の実施の形態に示した部材等と同一または同等の部材等については、それらに同じ符号を付してある。
【００３９】
図５（Ａ）および（Ｂ）は、本発明の第２の実施の形態に係る収容具１３を示す。この収容具１３の樹脂成形容器２は、可撓性の材料により形成された袋状の閉空間１４（図５（Ｂ）参照）をその上端部に備えている。また、前記取扱用部材４は管状となっており、取扱用部材４の上端は前記閉空間１４に連通するように把手体６に固定されている。ここで、閉空間１４を形成する可撓性材料としては、第１の実施の形態に係る収容具１の樹脂成形容器２の成形に用いられている材料を挙げることができる。
【００４０】
さらに、前記取扱用部材４は、帯状部位９を樹脂成形容器２の側壁７から離脱させるときに帯状部位９および／またはその近傍に緊張力を付与する鍔部１５を備え、また、この鍔部１５は、帯状部位９を樹脂成形容器２の側壁７から離脱させた後に、樹脂成形容器２の本体５の開口５ａに対して挿抜自在となり、かつ、前記開口５ａに挿入されるとこの開口５ａを閉塞するように構成されている。
【００４１】
詳述すると、前記鍔部１５は、樹脂成形容器２の側壁７の内径とほぼ同程度の外径を有し、本体５と把手体６とを分離していない状態では帯状部位９の内側に位置するように構成されている。また、鍔部１５の外周面には、図５（Ｂ）に示すように、環状突起部１５ａが上下に間隔をおいて二つ設けられている。
【００４２】
上記の構成からなる収容具１３では、閉空間１４を有する把手体６と前記閉空間１４に連通する管状の取扱用部材４とでスポイトが構成される。すなわち、把手体６および取扱用部材４をスポイトと同様に扱うことで収容物３を使用することができる。なお、取扱用部材４に適宜の目盛りを設けて、任意量の収容物３の吸い上げが容易となるように構成してもよい。
【００４３】
また、本体５と把手体６とを分離した後、把手体６に固定された取扱用部材４の鍔部１５を本体５の開口５ａに挿入すると、二つの環状突起部１５ａがシール部材として機能することになり、本体５内の収容物３をほぼ密閉状態で保管することが可能となり、収容物３の揮発や乾燥等を防止する効果が得られる。しかも、開口５ａに対して鍔部１５は着脱自在であり、リキャップ可能となっていることから、収容物３の使用と保管とを繰り返し行うことができる。
【００４４】
なお、第２の実施の形態に係る収容具１３の他の構成は、第１の実施の形態に係る収容具１と同様であるので、その説明を省略する。
【００４５】
図６（Ａ）および（Ｂ）は、本発明の第３の実施の形態に係る収容具１７を示す。この収容具１７は、図６（Ａ）に示すように、樹脂成形容器１８を有し、樹脂成形容器１８の内部に収容物１９および取扱用部材４が密閉状態で収容されている。
【００４６】
前記樹脂成形容器１８は、図１に示した樹脂成形容器２より径が大きくなっている等、樹脂成形容器２と形状が若干異なるが、その材料および成形方法は同じものとすることができ、また、閉塞された下端部を含む本体５と、閉塞された上端部を含む把手体６とに分離可能となっている点でも同じである。すなわち、樹脂成形容器１８のほぼ円筒状の側壁７に、二つの環状薄肉部８に挟まれた帯状部位９が設けられており、この帯状部位９に連設された摘まみ部１０を引っ張ると、図６（Ｂ）に示すように、帯状部位９が側壁７から離脱し、把手体６が本体５から分離するように構成されている。
【００４７】
前記収容物１９は口紅であり、保持容器２０に充填されている。この保持容器２０は、図６（Ｂ）に示すように、ほぼ円形状の底部２１と、この底部２１の周縁に立設されたほぼ円筒状の側壁２２と、前記底部２１の中央部に設けられたほぼ円形状の貫通孔２３の周縁に立設されたほぼ円筒状の筒状部２４とを備えている。なお、筒状部２４の上端は側壁２２の上端とほぼ同じかそれより上方の位置にある。
【００４８】
また、この実施の形態における取扱用部材４の授受部１１はブラシ（リップブラシ）になっており、また、帯状部位９を樹脂成形容器２の側壁７から離脱させるときに帯状部位９および／またはその近傍に緊張力を付与する鍔部２５が棒状部１２に設けられている。この鍔部２５は、帯状部位９を樹脂成形容器２の側壁７から離脱させた後に、樹脂成形容器１８の本体５の開口５ａに嵌合するように構成されている。
【００４９】
詳述すると、前記鍔部２５は、ほぼ円形状の鍔部本体２６と、ほぼ十字形状の挿入部２７とを備えている。そして、挿入部２７の側面は、樹脂成形容器２の側壁７の内壁面に密接するように湾曲面となっている。また、取扱用部材４は、本体５と把手体６とを分離していない状態では前記挿入部２７が帯状部位９の内側に位置するように構成されている。
【００５０】
次に、前記収容具１７の製造方法について説明する。まず、図７（Ａ）に示すように、一端側に開口部１８ａを有し他端側が閉塞されたほぼ円筒状の樹脂成形容器１８を用意する。なお、図７（Ａ）に示す樹脂成形容器１８は、図６（Ａ）および（Ｂ）に示す状態と上下が逆になっている。
【００５１】
続いて、開口部１８ａから樹脂成形容器１８の内部に取扱用部材４を挿入する。このとき、取扱用部材４は前記授受部１１が上側になるようにする。そして、図７（Ｂ）に示すように、取扱用部材４の棒状部１２の下端側（鍔部２５よりも下側の部分）を樹脂成形容器１８に固定する。この固定は、例えば、熱融着や超音波を用いて行うことができる。
【００５２】
その後、図７（Ｂ）および（Ｃ）に示すように、予め保持容器２０に充填した収容物１９を樹脂成形容器１８内に収容する。このとき、保持容器２０は底部２１が上側となるようにし、また、保持容器２０の筒状部２４に取扱用部材４の棒状部１２を挿通させ、保持容器２０を樹脂成形容器１８内に設けた段部１８ｂに当接させて固定する。
【００５３】
なお、この実施の形態では、収容物１９としての口紅を所定温度（例えば９０℃）以上で溶解して液状とし、この状態で保持容器２０に充填した後、冷却によって保持容器２０内で固化させている。
【００５４】
最後に、図７（Ｄ）に示すように、樹脂成形容器１８の開口部１８ａを熱融着や超音波を用いることにより閉じる。このとき、樹脂成形容器１８において保持容器２０が収容されている位置から開口部１８ａまでの部位は一方向に縮径するように変形し、また、開口部１８ａをシールする際の反動が保持容器２０に加わることになるので、前記段部１８ｂに当接していた保持容器２０は開口部１８ａ側へも移動しないように固定された状態となる。以上で、収容具１７の製造が完了する。なお、開口部１８ａを閉じるときに、樹脂成形容器１８内の空気を不活性ガスに置換して封入してもよいが、前記収容物１９が空気によって劣化しない場合等には前記置換を行わなくてもよい。
【００５５】
上記の構成からなる収容具１７は未開封では図６（Ａ）に示す状態となっており、この収容具１７を使用するには、摘まみ部１０を引っ張り二つの環状薄肉部８を破断させて、側壁７の二つの環状薄肉部８に挟まれた帯状部位９を側壁７から離脱させればよい。そして、前記把手体６と本体５とを引き離し、取扱用部材４を本体５から引き抜けば、収容具１７は収容物１９の塗布作業が可能な状態となり、塗布作業は、取扱用部材４の授受部１２で、保持容器２０に充填した収容物１９を擦り取ることで行うことができる。
【００５６】
上記の構成からなる収容具１７では、本体５と把手体６とを分離した後、把手体６に固定された取扱用部材４の鍔部２５の挿入部２７を本体５の開口５ａに嵌合すると、鍔部２５の鍔部本体２６が開口５ａを閉塞し、本体５内の収容物１９をほぼ密閉状態で保管することが可能となる。しかも、開口５ａに対して鍔部２５は着脱自在であるので、収容物３の使用と保管とを繰り返し行うことができる。
【００５７】
なお、第３の実施の形態に係る収容具１７の他の構成は、第１の実施の形態に係る収容具１と同様であるので、その説明を省略する。
【００５８】
また、上記第３の実施の形態では、収容物１９として口紅を用いているが、これに限られず、ブラシタイプの前記取扱用部材４によって扱うのに適したもの（例えばリップクリーム等の化粧品）であればよい。
【００５９】
さらに、第３の実施の形態において、前記保持容器２０に代えて、図８に示す保持容器２８を用いてもよい。すなわち、この図に示すように、保持容器２８は、ほぼ円形状の天部２９と、この天部２９の周縁に立設されたほぼ円筒状の側壁２２と、前記天部２９の中央部に設けられたほぼ円形状の貫通孔３０の周縁に連設されたほぼ円筒状の筒状部２４とを備え、前記天部２９に複数（図示例では三つ）の凹入部３１が設けられている。そして、凹入部３１に前記収容物１９が充填される。
【００６０】
上記の構成からなる保持容器２８では、複数ある凹入部３１に充填する収容物１９の色、種類等をそれぞれ異ならせることができるので、複数種の収容物１９を収容具１７に収容する場合に用いて好適である。なお、図８において、３２は摘まみ部であり、この摘まみ部３２は、保持容器２８を上下逆にした状態で樹脂成形容器１８内に収容するとき（図７（Ｃ）参照）に用いられる。
【００６１】
また、第３の実施の形態において、収容物１９を口紅ではなくアイシャドーとしてもよく、この場合には、図９に示すように、前記取扱用部材４をリップブラシとはせずにシャドーチップとしてもよいし、授受部１１をブラシ状に形成してもよい。さらに、この場合、保持容器２０に代えて、図９に示す保持容器３３を用いることが望ましい。
【００６２】
すなわち、前記保持容器３３は、前記保持容器２０の側壁２２とほぼ同じ外径を有するほぼ円筒状の筒部３４と、この筒部３４に連設され、本体５の中央部を避けた位置に固定される容器本体３５とを備えている。そして、この容器本体３５の外側面は本体５の内壁にほぼ密着すると共に、内側面に上下方向に延びる単数または複数（図示例では二つ）の凹入部３１が設けられており、各凹入部３１に収容物１９が収容される。なお、保持容器３３は、前記容器本体３５が本体５内への取扱用部材４の収容を邪魔しないように構成されている。
【００６３】
また、第３の実施の形態において、取扱用部材４としてアイライナーブラシ等を用いてもよい。
【００６４】
図１０は、本発明の第４の実施の形態に係る収容具３６を示す。この収容具３６は、上記第３の実施の形態に係る収容具１７と比べて、取扱用部材４の授受部１１がリップブラシではなくマスカラ用のブラシとなっており、また、保持容器２０に充填される収容物１９としての口紅に代えて、本体５に直接収容される収容物３７としてのマスカラが用いられている点で主に異なる。
【００６５】
上記の構成からなる収容具３６では、前記保持容器２０の筒状部２４が、授受部（ブラシ）１１に対する収容物（マスカラ）３７の付着量を調整する機能を発揮する。すなわち、取扱用部材４によって保持容器２０内の収容物３７を取り出すときに、保持容器２０の筒状部２４を利用することで、授受部１１に付着させる収容物３７の量を調整することができ、授受部１１に余分に付着した収容物３７を本体５内に残すことができる。具体的には、取扱用部材４の授受部１１を保持容器２０の筒状部２４に擦り付ける等すればよい。
【００６６】
また、第４の実施の形態において、収容物３７をマスカラではなく化粧クリームとしてもよく、この場合には、前記取扱用部材４をシャドーチップとせずにスプーンとすればよい。さらに、この場合、前記保持容器２０に代えて、図１１に示すＣ形容器３９を用いることが望ましい。
【００６７】
すなわち、前記Ｃ形容器３９は、前記保持容器２０の一部を切り欠き、中央の貫通孔が側方に連通する形状を呈するように構成されたものである。そして、上記構成からなるＣ形容器３９では、適宜の大きさの切り欠き部４０が形成されることから、化粧クリームである収容物３７を盛った状態の授受部１１を本体５から容易に抜き出すことができる。
【００６８】
ここで、上記各実施の形態ではいずれも収容具を塗布具（患部消毒具、化粧品塗布具）として用いる例を示しているが、本発明の収容具は、各種の検査（例えば、検便、水質調査等）に用いるサンプル容器として用いることもできる。例えば、第４の実施の形態において図１０に示す取扱用部材４を上述したスプーンとする場合には、収容具３６を検便の採取容器として用いることができる。具体的には、収容具３６の製造段階で収容物３７を樹脂成形容器内に収容せず、取扱用部材４によって採取したサンプルを本体５内に収容すればよい。同様に、図５（Ａ）および（Ｂ）に示す収容具１３は、例えば水質調査のためのサンプルの採取に用いることができる。
【００６９】
また、第３および第４の実施の形態では、前記挿入部２７をほぼ十字形状としているが、このような構成に限らず、例えば、図１２に示すように、挿入部２７をほぼ円柱形状または円筒形状とし、かつ、その外周面に単数または複数（図示例では二つ）の環状突起部２７ａを設けてもよい。この場合には、本体５と把手体６とを分離した後、把手体６に固定された取扱用部材４の挿入部２７を本体５の開口５ａに挿入すると、環状突起部２７ａがシール部材として機能することになり、本体５内の収容物をほぼ密閉状態で保管することが可能となり、収容物の揮発や乾燥等を防止する効果やリキャップ性能が向上することになる。しかも、開口５ａに対して挿入部２７は着脱自在であり、リキャップ可能となっていることから、収容物の使用と保管とを繰り返し行うことができる。
【図面の簡単な説明】
【００７０】
【図１】（Ａ）および（Ｂ）は、本発明の第１の実施の形態に係る分離前および分離後の収容具の構成を概略的に示す斜視図、（Ｃ）は（Ｂ）のＸ−Ｘ線断面図である。
【図２】分離可能に複数連結された状態の収容具の構成を概略的に示す斜視図である。
【図３】製造途中の収容具の構成を概略的に示す斜視図である。
【図４】（Ａ）は分離前の収容具の構成を概略的に示す縦断面図、（Ｂ）は分離後の収容具の使用方法を概略的に示す説明図である。
【図５】（Ａ）および（Ｂ）は、本発明の第２の実施の形態に係る分離前および分離後の収容具の構成を概略的に示す斜視図である。
【図６】（Ａ）および（Ｂ）は、本発明の第３の実施の形態に係る分離前および分離後の収容具の構成を概略的に示す斜視図である。
【図７】（Ａ）〜（Ｄ）は、第３の実施の形態に係る収容具の製造方法を概略的に示す説明図である。
【図８】第３の実施の形態に係る収容具の変形例の構成を概略的に示す斜視図である。
【図９】第３の実施の形態に係る収容具の他の変形例の構成を概略的に示す斜視図である。
【図１０】本発明の第４の実施の形態に係る分離後の収容具の構成を概略的に示す斜視図である。
【図１１】第４の実施の形態に係る収容具の変形例に用いられるＣ形容器の構成を概略的に示す斜視図である。
【図１２】第３および第４の実施の形態に係る収容具の挿入部の変形例の構成を概略的に示す斜視図である。
【符号の説明】
【００７１】
１  収容具
２  樹脂成形容器
３  収容物
４  取扱用部材
５  本体
６  把手体
１１  授受部
１２  棒状部
【図１】
2006102478.tif 000003
【図２】
2006102478.tif 000004
【図３】
2006102478.tif 000005
【図４】
2006102478.tif 000006
【図５】
2006102478.tif 000007
【図６】
2006102478.tif 000008
【図７】
2006102478.tif 000009
【図８】
2006102478.tif 000010
【図９】
2006102478.tif 000011
【図１０】
2006102478.tif 000012
【図１１】
2006102478.tif 000013
【図１２】
2006102478.tif 000014